(57)【要約】【課題】扉内面の揺動可能に取り付けられたガードアームと、そのガードアームに対向して扉枠に取り付けられた受け部材とからなり、前記ガードアームを受け部材側に倒し、そのガードアームに設けたガイド溝に受け部材のヘッド部を挿入係合させることにより、扉の開閉角度を前記ガイド溝の長さの範囲内に規制するようにしたドアーガードにおいて、扉開閉時の衝撃等によりガードアームの誤作動によって閉め出し状態となる不都合を確実に防止することである。【解決手段】ガードアーム２を扉１の幅方向へのスライドが可能なように取り付け、ガードアーム２に設けたガイド溝の取り付け基部側の端部に開放部９を設け、ガードアーム２が扉枠３から離れる方向に後退した際にガードアーム２と受け部材４とは非係合状態となり、その状態からガードアーム２が前進した際に受け部材４のヘッド部４６が前記開放部９からガイド溝内に進入し係合状態になるようにした。【選択図】図１
2006200322.tif 000002
【特許請求の範囲】
【請求項１】
扉の開放側端辺の内面において垂直方向の回転軸により揺動可能に取り付けられたガードアームと、そのガードアームに対向して扉枠に取り付けられた受け部材とからなり、前記ガードアームの取り付け基部側の端部から先端部に至る範囲にガイド溝を設け、そのガイド溝に前記受け部材の頭部をスライド可能に係合させることにより扉の開閉角度を前記ガイド溝の長さの範囲内に規制するようにしたドアーガードにおいて、前記ガードアームを前記扉の幅方向へ一定のストロークを持つようにスライド可能に取り付け、前記ガイド溝の取り付け基部側の端部に開放部を設け、前記ガードアームが扉枠から離れる方向に後退した際に前記ガードアームと受け部材は非係合状態となり、その状態から前記ガードアームが前進した際に前記受け部材のヘッド部が前記開放部からガイド溝内に挿入されるとともに、該ガードアームの回転軸より先端側において前記ヘッド部がガイド溝両側内面に係合するようにしたことを特徴とするドアーガード。
【請求項２】
前記ガードアームがスライダーに前記回転軸により揺動可能に取り付けられ、そのスライダーが前記扉に固定したアーム台座に扉の幅方向にスライド可能に取り付けられたことを特徴とする請求項１に記載のドアーガード。
【請求項３】
前記ガードアームにこれを前記扉側に付勢するばね力を付与したことを特徴とする請求項１又は２に記載のドアーガード。
【請求項４】
前記アーム台座を固定する少なくとも１本のビスを前記スライダーのスライド軌跡の範囲内に設けたことを特徴とする請求項１から３のいずれかに記載のドアーガード。
【請求項５】
前記受け部材を垂直方向の回転軸により揺動可能に取り付け、その揺動により前記扉側に倒れた作動状態と、扉枠側に倒れた非作動状態のそれぞれにおいてばね力の作用により安定姿勢がとれるようにしたことを特徴とする請求項１から４のいずれかに記載のドアーガード。
【発明の詳細な説明】
【技術分野】
【０００１】
この発明はドアーガードに関し、特にドアーガードの誤作動によって、いわゆる閉め出し状態となる不都合を解消したものである。
【背景技術】
【０００２】
一般に、ドアーガードは扉内面の開放側端辺に揺動自在に取り付けられたガードアームと、そのガードアームに対向して扉枠に取り付けられた受け部材とからなり、前記ガードアームを受け部材側に倒し、そのガードアームに設けたガイド溝に受け部材のヘッド部を挿入係合させることにより、扉の開閉角度を前記ガイド溝の長さの範囲内に規制するようになっている。
【０００３】
前記のようなドアーガードにおいて、扉開閉時の衝撃等によりガードアームの誤作動によって閉め出し状態となる不都合を防止するため、ガードアームの基部に設けた係合面にスプリングにより付勢された押圧片を押し当て、これによってガードアームが衝撃等の影響により倒れることが無いようにした閉め出し防止機能付きドアーガードが従来から知られている（特許文献１）。
【特許文献１】特開２００３−３１４１２１号公報
【発明の開示】
【発明が解決しようとする課題】
【０００４】
前記の閉め出し防止機構は、ガードアームの誤動作による閉め出しを防止するうえで一応有効な手段ではあるが、使用頻度が高くなって、スプリングの疲労、押圧片や係合面の摩耗等が進行すると、ガードアームが倒れ易くなり誤作動が起こることがあるので確実な閉め出し防止手段とはいえない。
【０００５】
そこで、この発明は、長期にわたって使用しても誤動作が起こり難く、確実に閉め出しの不都合を解消できる機構を備えたドアーガードを提供することを課題とする。
【課題を解決するための手段】
【０００６】
前記の課題を解決するために、この発明は、扉の開放側端辺の内面において垂直方向の回転軸により揺動可能に取り付けられたガードアームと、そのガードアームに対向して扉枠に取り付けられた受け部材とからなり、前記ガードアームの取り付け基部側の端部から先端部に至る範囲にガイド溝を設け、そのガイド溝に前記受け部材の頭部をスライド可能に係合させることにより扉の開閉角度を前記ガイド溝の長さの範囲内に規制するようにしたドアーガードにおいて、前記ガードアームを前記扉の幅方向へ一定のストロークを持つようにスライド可能に取り付け、前記ガイド溝の取り付け基部側の端部に開放部を設け、前記ガードアームが扉枠から離れる方向に後退した際に前記ガードアームと受け部材は非係合状態となり、その状態から前記ガードアームが前進した際に前記受け部材のヘッド部が前記開放部からガイド溝内に挿入されるとともに、該ガードアームの回転軸より先端側において前記ヘッド部がガイド溝両側内面に係合するようにしたものである。
【０００７】
上記の構成のドアーガードは、これを使用しない場合はガードアームを後退させ、受け部材に対し非係合状態にあるようにしておく。この状態においては扉の開閉は自由に行われる。ドアーガードを使用する場合は、扉を閉鎖した状態でガードアームを前進方向にスライドさせる。ガードアームの前進によりその基部側端部に設けた開放部から受け部材のヘッド部がガイド溝内に挿入され、最も前進した状態で受け部材のヘッド部がガードアームの回転軸より先端側においてガイド溝両側内面に係合し待機状態となる。その待機状態から扉を開放すると、扉の開放に応じてガードアームが回転して扉内面に対して立ち上がり、同時に頭部がガイド溝内を移動する。頭部の移動はガイド溝の先端に達すると規制され、ガードアームが最大限に立ち上がり、それ以上に扉が開放されることを規制する。
【０００８】
なお、前記受け部材を水平方向に揺動可能に取り付け、その揺動によりガードアーム側に倒れた係合状態と、扉枠側に倒れた非係合状態のそれぞれにおいてばね力を作用させて安定姿勢がとれるようにすることが望ましい。
【発明の効果】
【０００９】
以上のように、この発明のドアーガードは、不使用状態においてはガードアームがストロークの後退位置にあって受け部材から離れているので、この状態で扉の開閉に伴う衝撃等が作用しても、ガードアームが勝手に移動して受け部材に係合する事態は起こり得ない。従って、ガードアームの誤作動に伴う閉め出しの不都合を確実に防止することができる。
【００１０】
また、前記の不使用状態において受け部材を扉枠側に倒しておくことにより、人が通過する際の邪魔になることを防止することができるとともに、ガードアームとの距離が一層大きくなり、閉め出しを一層確実に防止することができる。
【発明を実施するための最良の形態】
【００１１】
以下、添付図面に基づいてこの発明の実施形態を説明する。図１及び図２に示したように、実施形態のドアーガードは、扉１の開放側端辺の内面に取り付けられるガードアーム２と、これに対向して扉枠３に取り付けられた受け部材４が主用な構成部材となっている。
【００１２】
ガードアーム２は、図５に示したように、上端面５と両側面６、６からなる断面コの字形をなし、先端部が先端面７によって閉塞されている。上端面５には基端側から先端部に至る長さのガイド溝８が設けられる。そのガイド溝８の先端部は閉塞されているが、基端側は開放部９において開放されている。また、両側面６、６の基端側において部分的に幅を広く形成した取り付け基端部１１、１１が設けられ、各取り付け基端部１１、１１に軸穴１２、１２が設けられる。また、各取り付け基端部１１、１１の後端部内面にリブ１３、１３が設けられる。また、ガイド溝８両側の上端面５の内面、即ちガイド溝両側内面１４、１４の基端側にばね受けリブ１５、１５（図３参照）が設けられる。
【００１３】
前記のガードアーム２は、スライダー１６を介してアーム台座１７に取り付けられる。スライダー１６は、スライド台１８の両側下面にコの字形のガイド部１９、１９が設けられる（図４参照）。各ガイド部１９にコの字形の滑り部材２０が装着される。
【００１４】
スライド台１８の前端面２１は、ガイド部１９、１９を延長した延長ガイド部１９’、１９’を含む両側軸受部２２、２２より内側に存在する。両側軸受部２２、２２はスライド台１８の上面より高く形成され、相対向する位置に軸受穴２３、２３が設けられる。また、スライド台１８の前端面２１にばね係止溝２４（図３、図５参照）が設けられる。
【００１５】
前記スライド台１８の前端面２１の両側面と両側軸受部２２、２２との間に凹部２５、２５（図５参照）が設けられ、その凹部２５、２５の奥所に両側軸受部２２、２２に沿ってスライド台１８より立ち上がった規制突部２６、２６が設けられる。これらの規制突部２６、２６は後述のように、ガードアーム２の扉1に対する姿勢を規制する。
【００１６】
また、前記スライド台１８の裏面に長さ方向のスライド規制溝２７（図４、図５参照）が設けられ、そのスライド規制溝２７によって、後述のようにアーム台座１７に対するスライダー１６のスライドストロークの範囲が規制される。また、そのスライド規制溝２７の一側方においてその両端部に相当する位置に小凹部２８、２８が設けられる。
【００１７】
アーム台座１７は、その裏面において長さ方向の両側部にガイドレール２９、２９と、各ガイドレール２９に扉１側に突き出したガイドレール補助部２９’が設けられる。また、裏面から表面に突き出すストッパービス３１が設けられる。さらに、その表面中央部に設けた収納凹所３２にばね３３とボール３４が収納される。アーム台座１７は、２本のビス３５、３５により扉枠３に固定される。
【００１８】
前記のガードアーム２は、その取り付け基端部１１、１１がスライダー１６の両側軸受部２２、２２の内側に沿って嵌合される。
【００１９】
両方の軸受穴２３とこれに対向した軸穴１２、１２にそれぞれ回転軸３６、３６が挿通される。更に各回転軸３６、３６にねじりコイルばね３８が挿通され、各回転軸３６、３６の端部に抜け止めリング４０、４０が嵌合される。各ねじりコイルばね３８の両端部がそれぞれガードアーム２のばね受けリブ１５と、スライダー１６のばね係止溝２４とに係合される。これによりガードアーム２が扉１側に付勢された状態で、垂直方向の回転軸３６により約１８０度の範囲で揺動可能に支持される。ガードアーム２は扉1側に倒れた状態で、その両側面６、６が前記の規制突部２６、２６に当り扉１の内面と平行に支持される。なお、スライダー１６の前記凹部２５、２５により、ガードアーム２の取り付け基端部１１、１１とスライド台１８との干渉が防止される。
【００２０】
また、前記のスライダー１６のガイド部１９、１９、１９’、１９’がアーム台座１７の各ガイドレール２９、２９に嵌合され、スライダー１６がアーム台座１７に対し扉１の幅方向にスライド可能に支持される。アーム台座１７に設けたストッパービス３１がスライド規制溝２７に嵌合され、スライダー１６とこれに支持されたガードアーム２のストロークを一定範囲に規制する。また、ばね３３によって付勢されたボール３４がストロークの両端において小凹部２８、２８に落ち込み、ガードアーム２を把持する操作者の手にクリック感を与える。
【００２１】
前記のスライダー１６はガードアーム２と一体に図１に示した実線状態から一点鎖線の範囲にわたる一定のストロークで扉１の幅方向にスライドが可能となるが、アーム台座１７を扉１に固定する左右１本のビス３５、３５とスライダー１６の位置関係は次のように設定されている。即ち、スライダー１６がストロークの前進限にあるとき（実線状態）は向かって左側（扉１の開放端側）のビス３５がスライダー１６のカバー範囲内にあり、右側のビス３５はそのカバー範囲外にあるが、スライダー１６が後退限にあるとき（一点鎖線状態）は、反対に右側のビス３５がカバーされ、左側のビス３５がカバー範囲外にある。また、左右のビス３５、３５間の間隔Ｓに比べスライダー１６の長さＴの方が大に形成される。従って、スライダー１６が前進限又は後退限にある場合、又はこれらの間にある場合は、少なくとも１本のビス３５がスライダー１６によってカバーされるので、不法な侵入者よってドアーガードが取り外される危険がない。
【００２２】
次に、前記の受け部材４について説明する。図１に示したように、受け部材４は受け部材台座４１に垂直方向のピン４２により、水平面内で約１８０度の範囲内で揺動可能となるように取り付けられる（円弧矢印Ａ参照）。
【００２３】
前記の受け部材４は、図６に示したように、ピン穴４３を有する取り付け基部４４にＬ形に屈曲したアーム４５を連設し、そのアーム４５の先端にヘッド部４６を設けたものであり、そのヘッド部４６はアーム４５の両側に傾斜面４７が形成される。前記取り付け基部４４の外周面において、ピン穴４３の左右両側において平行一対の浅い係合溝４８、４８が設けられる。これらの係合溝４８、４８の位置関係は、受け部材４が扉１側に倒された使用状態において（図１、図２参照）、一方の係合溝４８が扉１の前面に対向し、扉枠３側に倒された不使用状態において（図１、図２の一点鎖線参照）、他方の係合溝４８が扉１の前面に対向するような関係になっている。
【００２４】
受け部材台座４１はＬ形断面の基板４９上に対向一対の軸受部５１、５１を設け、その軸受部５１、５１間の凹部にばね部材５２を収納している。ばね部材５２は弾性片をコの字形に屈曲し、その平坦部に軸方向の突条５３が設けられたものである。
【００２５】
前記の受け部材台座４１は、図２に示したように、前述のガードアーム２と対向した位置において、軸受部５１、５１に沿って立ち上がった基板４９の部分を扉枠３の扉１側の面のコーナー部に沿わせ、その部分に設けられた長穴５０、５０で高さを調整しながらビス５４により固定する。前記受け部材４の取り付け基部４４を軸受部５１、５１間に介在してピン４２を挿通固定すると、受け部材４が垂直方向のピン４２により水平面内で揺動自在に支持される。また、受け部材４が扉１側に突き出した状態（図１、図２の実線の状態）において、取り付け基部４４の一方の係合溝４８がばね部材５２の突条５３に嵌合されて安定状態となり、また水平方向に１８０度回転して扉枠３側に倒した不使用状態（同図一点鎖線の状態）において他方の係合溝４８が前記突条５３に嵌合されて安定状態となる。
【００２６】
なお、基板４９の扉１側の面には、図１に示したように、クッション材を兼ねたシール部材５５が装着される。
【００２７】
ガードアーム２と受け部材４の位置関係は、ドアーガードの不使用状態においては、受け部材４のヘッド部４６とガードアーム２の基端部１１側の開放部９との間には十分なすき間がある。たとえ受け部材４が扉１側に倒れたとしても、開放部９とヘッド部４６との間にＬ１の間隔が存在する（図１参照）。
【００２８】
また、ドアーガードの使用状態においては、受け部材４を扉１側に倒した状態で、ガードアーム２を扉枠３側にスライドさせ（図１の一点鎖線から実線の状態）、ガードアーム２の開放部９に受け部材４のヘッド部４６を挿入・係合させる。その係合によってヘッド部４６がガイド溝８の両側内面１４に接触ないし対向する。図示の場合、ヘッド部４６の先端と両側内面１４との間には若干のすき間ａがあるように設計して、取り付け誤差等に対応できるようにしている。この状態で、ヘッド部４６の先端は回転軸３６からガードアーム２の先端側へ一定の距離Ｌ２だけ離れた位置まで挿入された状態にある。
【００２９】
なお、ガードアーム２に設けられたガイド溝８の幅Ｗ１は、図２に示したように、受け部材４のヘッド部４６の幅Ｗ２より小さく、即ちＷ１＜Ｗ２に形成される。
【００３０】
実施形態のドアーガードは以上のように構成され、次にその作用について説明する。
【００３１】
図１及び図２において一点鎖線で示した状態は、前述のようにドアーガードの待機状態におけるガードアーム２と受け部材４の位置ないし姿勢を示している。ガードアーム２及びこれと一体のスライダー１６はアーム台座１７に対してストロークの後端限（図１の一点鎖線参照）にあり、アーム台座１７のボール３４がスライダー１６の小凹部２８に嵌合し、またガードアーム２はコイルばね３８により扉１の内面側に付勢され、同時にスライダー１６に設けられた規制突部２６により扉１の内面に対し平行な姿勢で保持される。また、アーム台座１７の右側のビス３５はスライダー１６にカバーされている。
【００３２】
ガードアーム２の待機状態（前記の一点鎖線の状態）においては、スライダー１６とガードアーム２は、アーム台座１７に対して後退している（扉枠３から離れた状態）にあるので、ガードアーム２の取り付け基端部１１側の先端がアーム台座１７の室内側の面に微小な間隔をおいて対向した状態にある（図９参照）。このため、前述のようにコイルばね３８によって扉１側に付勢されているガードアーム２に回転方向の外力が作用したとしても、ガードアーム２の先端がアーム台座１７に干渉するため回転が規制される（図９の一点鎖線参照）。
【００３３】
一方、受け部材４は扉枠３側に倒され、ばね部材５２の突条５３が係合溝４８に嵌合して受け部材４を安定な姿勢に保持する。これによって、受け部材４が通行の邪魔になることが防止される。
【００３４】
前記の待機状態において、衝撃その他の力が作用して、万一受け部材４がガードアーム２側に倒れたとしても、そのヘッド部４６とガードアーム２の開放部９との間には前述のように、間隔Ｌ１が存在するので、ガードアーム２のガイド溝８に係合されることはない。また、何らかの理由により、ガードアーム２が前進状態にあるときに受け部材４が前記のようにガードアーム２側に倒れたとしても、前記のようにＷ１＜Ｗ２の関係にあるので、ヘッド部４６がガードアーム２の上端面５側から直接ガイド溝８に入ることはない。従って、この場合もヘッド部４６がガイド溝８に係合されることはない。結局、受け部材４又はガードアーム２に何らかの力が作用して誤作動を起こすことがあっても、ヘッド部４６とガイド溝８とが係合状態になることは起こり得ないので、閉め出しの問題は回避される。
【００３５】
次に、ドアーガードを使用する場合は、先に受け部材４を扉１側に倒し（図１の矢印Ａ参照）、実線の状態に突き出す。この状態で他方の係合溝４８がばね部材５２の突条５３に係合し安定姿勢を保持する。
【００３６】
その後、ガードアーム２を把持してこれを扉枠３の方向にスライドさせる（図１の矢印Ｂ参照）。ガードアーム２はこれと一体のスライダー１６がアーム台座１７に対して前進方向に力を加えるとボール３４が小凹部２８から外れてスライドする。スライドストロークの前進限に近い位置で受け部材４のヘッド部４６が開放部９からガードアーム２の内部に挿入される。スライドストロークの前進限（図１の実線）において、ヘッド部４６は回転軸３６より距離Ｌ２だけ内方に寄った位置で、スライド規制溝２７の前端にストッパービス３１が当って停止される。同時にボール３４が他方の小凹部２８に嵌入し、その嵌入時のクリック感がガードアーム２を把持する操作者の手に伝えられる。このようにしてドアーガードのセットが完了し待機状態となる。なお、このときアーム台座１７の左側のビス３５はスライダー１６によってカバーされる。
【００３７】
上記待機状態において扉１を開放すると、ヘッド部４６がガードアーム２のガイド溝両側面１４に接触し（前記のすき間ａがゼロとなり）、前記の距離Ｌ２の存在によってガードアーム２に回転トルクが発生し回転軸３６を中心として自動的に立ち上がり始める。
【００３８】
図７に示したように、扉１の矢印Ｐ方向の回転に伴い、ヘッド部４６がガイド溝８を相対的にスライドし、ガイド溝両側内面１４に対する接触位置が先端側に移動するに従い立ち上がり角度が大きくなる。このようにして、ヘッド部４６がガイド溝８の先端に達すると、ヘッド部４６の相対的なスライドが停止され、扉１の開放角度が規制される。
【００３９】
扉１を閉める場合は、前記の逆の作用によって、図１、図２に示した元の状態に戻る。ドアーガードを不使用状態（ヘッド部４６がガードアーム２から外れた解除状態）にする場合は、一旦待機状態に戻した上でガードアーム２を後退させる必要があるので、図８のように扉１を部分的に開放した状態で扉１の外部から手や工具を差し込んだとしても、扉１を開放したままではガードアーム２に対するヘッド部４６の係合を外すことはできない。
【図面の簡単な説明】
【００４０】
【図１】実施形態の平面図
【図２】同上の正面図
【図３】図２のIII−III線の断面図
【図４】図３のIV−IV線の断面図
【図５】実施形態のガードアーム側の分解斜視図
【図６】実施形態の受け部材側の分解斜視図
【図７】実施形態の使用状態における平面図
【図８】実施形態の他の使用状態における平面図
【図９】実施形態の待機状態の一部断面図
【符号の説明】
【００４１】
１  扉
２  ガードアーム
３  扉枠
４  受け部材
５  上端面
６  側面
７  先端面
８  ガイド溝
９  開放部
１１  取り付け基端部
１２  軸穴
１３  リブ
１４  ガイド溝両側内面
１５  ばね受けリブ
１６  スライダー
１７  台座
１８  スライド台
１９、１９’  ガイド部
２０  滑り部材
２１  先端面
２２  両側軸受部
２３  軸受穴
２４  ばね係止溝
２５  凹部
２６  規制突部
２７  スライド規制溝
２８  小凹部
２９  ガイドレール
２９’  ガイドレール補助部
３１  ストッパービス
３２  収納凹所
３３  ばね
３４  ボール
３５  ビス
３６  回転軸
３８  コイルばね
４０  抜け止めリング
４１  受け部材台座
４２  ピン
４３  ピン穴
４４  取り付け基部
４５  アーム
４６  ヘッド部
４７  傾斜面
４８  係合溝
４９  基板
５０  長穴
５１  軸受部
５２  ばね部材
５３  突条
５４  ビス
５５  シール部材
【図１】
2006200322.tif 000003
【図２】
2006200322.tif 000004
【図３】
2006200322.tif 000005
【図４】
2006200322.tif 000006
【図５】
2006200322.tif 000007
【図６】
2006200322.tif 000008
【図７】
2006200322.tif 000009
【図８】
2006200322.tif 000010
【図９】
2006200322.tif 000011